(57)【要約】【課題】情報端末と中継装置との接続において、通信に用いる通信端子全てが接続されたことを確認することである。【解決手段】情報端末１０は、ＰＣ３０と接続するためのクレードル２０におけるＵＳＢ端子ＣＨＴとの間で所定の有線通信方式で通信するためにＵＳＢ端子ＣＨＴに接触されるＵＳＢ端子ＴＨＴを備える。情報端末１０は、ＵＳＢ端子ＴＨＴのうちの１つのＵＳＢ端子ＴＤ＋にクレードル２０へのループバック用の第１の信号を出力し、第１の信号がクレードル２０からＵＳＢ端子ＴＨＴのうちの１つのＵＳＢ端子ＴＤ＋以外の全てのＵＳＢ端子に入力されたか否かを判別する。【選択図】図１
2018147634.tif 000002
【特許請求の範囲】
【請求項１】
外部装置と接続するための中継装置における第１の複数の通信端子との間で所定の有線通信方式で通信するために前記第１の複数の通信端子に接触される第２の複数の通信端子と、
前記第２の複数の通信端子のうちの１つの信号出力端子に前記中継装置へのループバック用の第１の信号を出力する信号出力手段と、
前記第１の信号が前記中継装置から前記第２の複数の通信端子のうちの前記信号出力端子以外の全ての第２の通信端子に入力されたか否かを判別する確認手段と、
を備える情報端末。
【請求項２】
前記第１の信号が前記信号出力端子以外の全ての第２の通信端子に入力された場合に、前記第２の複数の通信端子及び前記中継装置を介した前記外部装置との通信を開始する接続手段を備える請求項１に記載の情報端末。
【請求項３】
前記第１の信号が前記信号出力端子以外の少なくとも１つの第２の通信端子から入力されない場合に、警告情報を出力手段に出力する警告手段を備える請求項１又は２に記載の情報端末。
【請求項４】
前記中継装置における通信端子に接触される第３の通信端子を備え、
前記信号出力手段は、前記情報端末が前記中継装置にセットされていることを示す第２の信号が前記中継装置から前記第２の通信端子に入力されたか否かを判別し、前記第２の信号が前記第３の通信端子に入力された場合に、前記第２の複数の通信端子のうちの１つの信号出力端子に第１の信号を出力する請求項１から３のいずれか一項に記載の情報端末。
【請求項５】
前記中継装置における通信端子に接触される第４の通信端子を備え、
前記信号出力手段は、前記中継装置との接続確認中を示す第３の信号を前記第４の通信端子に出力して、前記第２の複数の通信端子のうちの１つの信号出力端子に第１の信号を出力し、
前記接続手段は、前記中継装置との接続の確認完了を示す第３の信号を前記第４の通信端子に出力して、前記外部装置との通信を開始する請求項２に記載の情報端末。
【請求項６】
前記信号出力手段は、前記第２の複数の通信端子のうちの１つの信号出力端子に信号の極性をマイナスとすること及び信号の極性をプラスとすることを少なくとも１回切替えて第１の信号を出力し、
前記確認手段は、前記切替えられた複数の第１の信号がいずれも前記中継装置から前記第２の複数の通信端子のうちの前記信号出力端子以外の全ての第２の通信端子に入力されたか否かを判別する請求項１から５のいずれか一項に記載の情報端末。
【請求項７】
請求項１から６のいずれか一項に記載の情報端末と、
前記外部装置と前記情報端末との通信を中継する前記中継装置と、を備え、
前記中継装置は、
前記第２の複数の通信端子と接触される前記有線通信方式の前記第１の複数の通信端子と、
前記第１の複数の通信端子のうちの１つの信号入力端子に前記情報端末から入力された第１の信号を前記第１の複数の通信端子のうちの当該信号入力端子以外の全ての第１の通信端子に出力する応答手段と、
を備える通信中継システム。
【請求項８】
情報端末がセットされることにより、外部装置と当該情報端末との通信を中継する中継装置であって、
前記情報端末における第２の複数の通信端子と接触される所定の有線通信方式の第１の複数の通信端子と、
前記第１の複数の通信端子のうちの１つの信号入力端子に前記情報端末から入力された第１の信号を前記第１の複数の通信端子のうちの当該信号入力端子以外の全ての第１の通信端子に出力する応答手段と、
を備える中継装置。
【請求項９】
前記情報端末における通信端子に接触される第５の通信端子を備え、
前記応答手段は、前記情報端末が前記中継装置にセットされていることを示す第２の信号を前記第５の通信端子に出力する請求項８に記載の中継装置。
【請求項１０】
前記情報端末における通信端子に接触される第６の通信端子を備え、
前記応答手段は、前記情報端末が前記中継装置との接続の確認中を示す第３の信号が前記第６の通信端子に入力された場合に、前記第１の複数の通信端子のうちの１つの信号入力端子に前記情報端末から入力された第１の信号を前記第１の複数の通信端子のうちの当該信号入力端子以外の全ての第１の通信端子に出力し、前記中継装置との接続の確認完了を示す第３の信号が前記第６の通信端子に入力された場合に、前記第１の複数の通信端子と前記外部装置とを接続する請求項８又は９に記載の中継装置。
【請求項１１】
コンピュータを、
外部装置と接続するための中継装置における第１の複数の通信端子との間で所定の有線通信方式で通信するために前記第１の複数の通信端子に接触される第２の複数の通信端子のうちの１つの信号出力端子に前記中継装置へのループバック用の第１の信号を出力する信号出力手段、
前記第１の信号が前記中継装置から前記第２の複数の通信端子のうちの前記信号出力端子以外の全ての第２の通信端子に入力されたか否かを判別する確認手段、
として機能させるためのプログラム。
【発明の詳細な説明】
【技術分野】
【０００１】
本発明は、情報端末、通信中継システム、中継装置及びプログラムに関する。
【背景技術】
【０００２】
従来、ＨＴ（ハンディターミナル）などの可搬の情報端末と、ＰＣ（Personal Computer）とを、ＵＳＢ（Universal Serial Bus）の通信方式で通信接続する方法は、大きく２つがある。第１の方法は、ＵＳＢケーブルを介して、情報端末とＰＣとを直接接続する方法である。
【０００３】
第２の方法は、情報端末がセットされる（乗せられる、装着される）据え置き型の中継装置としてのクレードルを、ＵＳＢケーブルを使用してＰＣに予め接続しておき、情報端末をクレードルにセットして接続する方法である。
【０００４】
情報端末はユーザにより携帯されるため、第１の方法では、通信の度に情報端末にＵＳＢケーブルを接続及び接続解除（抜き差し）する負担が大きい。このため、情報端末の接続及び接続解除を容易に行う場合には、第２の方法がとられる。
【０００５】
第２の方法を行う場合に、ＵＳＢ接続は、情報端末上にあるＵＳＢ端子とクレードル上にあるＵＳＢ端子とを接触させることで行われる。この時、クレードルに情報端末を容易にセットすることができるようにするため、各装置のＵＳＢ端子同士の接触が弱くなることがある。通常、クレードルにはレベル補正等の簡易的な回路がある以外には機能が無く、ＵＳＢ端子としてはほぼ直結の状態となる。このため、クレードルを介して接続を行う場合、ケーブル直結に比べて接続が不完全になることが多く、通信不良の原因となることがある。
【０００６】
このため、ＵＳＢ端子を有する情報端末及びクレードルにそれぞれ赤外線結合部を備え、一対の赤外線結合部による赤外線通信によりクレードルに情報端末が装着したか否かを確認するシステムが知られている（特許文献１参照）。
【先行技術文献】
【特許文献】
【０００７】
【特許文献１】特開２００７−３１８５９５号公報
【発明の概要】
【発明が解決しようとする課題】
【０００８】
しかし、特許文献１に記載の構成では、赤外線通信がうまく行われても情報端末側のＵＳＢ端子とクレードル側のＵＳＢ端子との電気的な接続不良が発生するおそれがある。さらに、１組のＵＳＢ端子は、５つのＵＳＢ端子（Ｄ＋，Ｄ−，ＩＤ，ＶＢＵＳ，ＧＮＤ）からなり、情報端末がクレードルに中途半端にセットされた場合や、ＵＳＢ端子の表面が汚れている場合などに、電気的に接続されるＵＳＢ端子と接続されないＵＳＢ端子とが発生するおそれがあった。
【０００９】
本発明の課題は、情報端末と中継装置との接続において、通信に用いる全ての通信端子が接続されたことを確認することである。
【課題を解決するための手段】
【００１０】
上記課題を解決するために、本発明の情報端末は、外部装置と接続するための中継装置における第１の複数の通信端子との間で所定の有線通信方式で通信するために前記第１の複数の通信端子に接触される第２の複数の通信端子と、前記第２の複数の通信端子のうちの１つの信号出力端子に前記中継装置へのループバック用の第１の信号を出力する信号出力手段と、前記第１の信号が前記中継装置から前記第２の複数の通信端子のうちの前記信号出力端子以外の全ての第２の通信端子に入力されたか否かを判別する確認手段と、を備える。
本発明の中継装置は、情報端末がセットされることにより、外部装置と当該情報端末との通信を中継する中継装置であって、前記情報端末における第２の複数の通信端子と接触される所定の有線通信方式の第１の複数の通信端子と、前記第１の複数の通信端子のうちの１つの信号入力端子に前記情報端末から入力された第１の信号を前記第１の複数の通信端子のうちの当該信号入力端子以外の全ての第１の通信端子に出力する応答手段と、を備える。
【発明の効果】
【００１１】
本発明によれば、情報端末と中継装置との接続において、通信に用いる全ての通信端子が接続されたことを確認できる。
【図面の簡単な説明】
【００１２】
【図１】本発明の実施の形態の通信中継システムを示すブロック図である。
【図２】情報端末の機能構成を示すブロック図である。
【図３】クレードル側ＵＳＢ接続処理を示すフローチャートである。
【図４】端末側ＵＳＢ接続処理を示すフローチャートである。
【発明を実施するための形態】
【００１３】
以下、添付図面を参照して本発明に係る実施の形態を詳細に説明する。なお、本発明は、図示例に限定されるものではない。
【００１４】
先ず、図１、図２を参照して、本実施の形態の装置構成を説明する。図１は、本実施の形態の通信中継システム１を示す概略図である。図２は、情報端末１０の機能構成を示すブロック図である。
【００１５】
本実施の形態の通信中継システム１は、情報端末１０と、その通信先としてのＰＣ３０とを、所定の有線通信方式で通信接続して通信を中継するシステムである。ここでは、所定の有線通信方式としてＵＳＢを適用する例を説明するが、これに限定されるものではなく、他の有線通信方式としてもよい。
【００１６】
図１に示すように、通信中継システム１は、情報端末１０と、クレードル２０と、外部装置としてのＰＣ３０と、を備える。クレードル２０とＰＣ３０とは、ＵＳＢケーブル３１を介して通信接続されている。
【００１７】
情報端末１０は、例えば、店舗、倉庫などの商品の管理に用いられるハンディターミナルであるものとする。但し、情報端末１０は、ハンディターミナルに限定されるものではなく、スマートフォン、タブレットＰＣ、フィーチャーフォン、ＰＤＡ（Personal Digital Assistant）、デジタルカメラ、ポータブルオーディオプレーヤー、ＩＣレコーダなど、他の情報端末としてもよい。
【００１８】
情報端末１０は、筐体から露出した金属製の端子として、第２の通信端子としてのＵＳＢ通信用のＵＳＢ端子ＴＨＴと、第３の通信端子としての端子ＴＡと、第４の通信端子としての端子ＴＢと、を有する。ＵＳＢ端子ＴＨＴは、信号出力端子としてのＵＳＢ端子ＴＤ＋と、ＵＳＢ端子ＴＤ−，ＴＩＤ，ＴＶＢＵＳ，ＴＧＮＤと、を有する。ＵＳＢ端子ＴＤ＋は、ＵＳＢのデータ（Ｄ＋）の信号線用の端子である。ＵＳＢ端子ＴＤ−は、ＵＳＢのデータ（Ｄ−）の信号線用の端子である。ＵＳＢ端子ＴＩＤは、ＵＳＢの認識情報（ＩＤ）の信号線用の端子である。ＵＳＢ端子ＴＶＢＵＳは、ＵＳＢの電源電圧（ＶＢＵＳ）の電源線用の端子である。ＵＳＢ端子ＴＧＮＤは、ＵＳＢの接地（ＧＮＤ）の電源線用の端子である。
【００１９】
端子ＴＡは、情報端末１０がクレードル２０にセットされていることを示す信号が入力される端子である。端子ＴＢは、情報端末１０とＰＣ３０との接続を確認するためのモード（後述するモードＡ）のオン／オフを示す信号を出力するための端子である。図１に示すように、ＵＳＢ端子ＴＨＴ、端子ＴＡ，ＴＢ（ＵＳＢ端子ＣＨＴ、端子ＣＡ，ＣＢも同様）について、ＵＳＢ端子ＴＨＴの各ＵＳＢ端子の配列方向に沿った外側の近傍の位置に端子ＴＡ，ＴＢを配置するものとする。
【００２０】
クレードル２０は、情報端末１０をセットすることで、新たにコネクタ類に触れることなく、情報端末１０との間のＵＳＢ端子が接触され、情報端末１０とＰＣ３０とのＵＳＢ通信を中継する中継装置である。クレードル２０は、応答手段としての回路部２１と、セット部２２と、ＵＳＢ端子ＣＨＴと、筐体から露出した金属製の端子として、第１の通信端子としてのＵＳＢ通信用のＵＳＢ端子ＣＨＴと、第５の通信端子としての端子ＣＡと、第６の通信端子としての端子ＣＢと、ＵＳＢ端子ＣＰＣと、を有する。
【００２１】
ＵＳＢ端子ＣＨＴは、信号入力端子としてのＵＳＢ端子ＣＤ＋と、ＵＳＢ端子ＣＤ−，ＣＩＤ，ＣＶＢＵＳ，ＣＧＮＤと、を有する。ＵＳＢ端子ＣＤ＋は、ＵＳＢのデータ（Ｄ＋）の信号線用の端子であり、ＵＳＢ端子ＴＤ＋との接触により電気的に接続される。ＵＳＢ端子ＣＤ−は、ＵＳＢのデータ（Ｄ−）の信号線用の端子であり、ＵＳＢ端子ＴＤ＋との接触により電気的に接続される。ＵＳＢ端子ＣＩＤは、ＵＳＢの認識情報（ＩＤ）の信号線用の端子であり、ＵＳＢ端子ＴＤ−との接触により電気的に接続される。ＵＳＢ端子ＣＶＢＵＳは、ＵＳＢの電源電圧（ＶＢＵＳ）の電源線用の端子であり、ＵＳＢ端子ＴＶＢＵＳとの接触により電気的に接続される。ＵＳＢ端子ＣＧＮＤは、ＵＳＢの接地（ＧＮＤ）の電源線用の端子であり、ＵＳＢ端子ＴＧＮＤとの接触により電気的に接続される。
【００２２】
端子ＣＡは、情報端末１０がクレードル２０にセットされていることを示す信号を出力するための端子であり、端子ＴＡとの接触により電気的に接続される。端子ＣＢは、情報端末１０とＰＣ３０との接続を確認するためのモードＡのオン／オフを示す信号が入力される端子であり、端子ＴＢとの接触により電気的に接続される。
【００２３】
回路部２１は、例えば基板上の回路素子により構成された回路部である。回路部２１は、端子Ａに信号極性がプラスのプラス信号を出力する機能を有する。また、回路部２１は、情報端末１０から端子ＣＢに入力された信号の状態に応じて、情報端末１０からＵＳＢ端子ＣＤ＋に入力された信号をＵＳＢ端子ＣＨＴのうちのＵＳＢ端子ＣＤ＋以外の全てのＵＳＢ端子（ＵＳＢ端子ＣＤ−，ＣＩＤ，ＣＶＢＵＳ，ＣＧＮＤ）に出力し、又はＵＳＢ端子ＣＨＴとＵＳＢ端子ＣＰＣとを接続する機能を有する。このように、回路部２１は、上記の機能を実現させるための後述するクレードル側ＵＳＢ接続処理を実行する回路構成を有する。
【００２４】
セット部２２は、情報端末１０がセットされる受け部であり、情報端末１０がセットされると、情報端末１０のＵＳＢ端子ＴＨＴ、端子ＴＡ，ＴＢが、それぞれＵＳＢ端子ＣＨＴ、端子ＣＡ，ＣＢに接触される。
【００２５】
ＵＳＢ端子ＣＰＣは、ＰＣ３０に接続されたＵＳＢケーブル３１のコネクタ用のＵＳＢ端子であり、Ｄ＋，Ｄ−，ＩＤ，ＶＢＵＳ，ＧＮＤの線の端子をまとめて図示している。
【００２６】
ＰＣ３０は、情報端末１０のＵＳＢの有線通信先の据え置きの機器である。情報端末１０のＵＳＢの有線通信先の機器としては、ＰＣに限定されるものではなく、サーバなど、他の機器としてもよい。
【００２７】
図２に示すように、情報端末１０は、信号出力手段、確認手段、接続手段、警告手段としてのＣＰＵ（Central Processing Unit）１１と、操作部１２と、ＲＡＭ（Random Access Memory）１３と、出力手段としての表示部１４と、記憶部１５と、無線通信部１６と、有線通信部１７と、スキャナ部１８と、を備える。情報端末１０の各部は、バス１９を介して接続されている。
【００２８】
ＣＰＵ１１は、情報端末１０の各部を制御する。ＣＰＵ１１は、記憶部１５に記憶されているシステムプログラム及びアプリケーションプログラムのうち、指定されたプログラムを読み出してＲＡＭ１３に展開し、当該プログラムとの協働で、各種処理を実行する。
【００２９】
操作部１２は、文字入力キー、機能キーなどの各種キーのキー入力部を有し、ユーザからの操作入力を受け付け、その操作情報をＣＰＵ１１に出力する。操作部１２は、表示部１４の表示パネル上に設けられたタッチパネルを含むこととしてもよい。
【００３０】
ＲＡＭ１３は、揮発性のメモリであり、各種のデータやプログラムを一時的に格納するワークエリアを形成する。表示部１４は、ＬＣＤ（Liquid Crystal Display）、ＥＬ（Electro Luminescent）ディスプレイなどで構成され、ＣＰＵ１１から指示された表示情報に従い各種表示を行う。
【００３１】
記憶部１５は、フラッシュメモリ、ＥＥＰＲＯＭ（Electrically Erasable Programmable Read-Only Memory）などにより構成され、データ及びプログラムを書き込み及び読み出し可能な記憶部である。記憶部１５には、後述する端末側ＵＳＢ接続プログラム１５１が記憶されている。
【００３２】
無線通信部１６は、Bluetooth（登録商標）、無線ＬＡＮ（Local Area Network）、ワイヤレスＷＡＮ（Wide Area Network）（ＬＴＥ（Long Term Evolution）など）などの無線通信方式により、通信先の機器と直接無線通信し、又は通信ネットワーク上の中継器（アクセスポイント、基地局）との無線通信を介することにより、通信先の機器と通信を行う回路部である。
【００３３】
有線通信部１７は、ＵＳＢの有線通信方式により、ケーブル、クレードルなどの物理的な線路を介して、通信先の機器としてのＰＣ３０と通信を行う回路部である。有線通信部１７は、ＵＳＢ端子ＴＨＴ、端子ＴＡ，ＴＢを有し、ＵＳＢ端子ＴＨＴ、端子ＴＡ，ＴＢを介して外部機器としてのクレードル２０と有線通信を行う。ＣＰＵ１１は、有線通信部１７によりクレードル２０から端子ＣＡ、ＵＳＢ端子ＣＤ−，ＣＩＤ，ＣＶＢＵＳ，ＣＧＮＤに入力された信号を読む機能を有する。また、ＣＰＵ１１は、有線通信部１７によりプラス信号又は信号極性がマイナスのマイナス信号を生成して端子ＣＡ、ＵＳＢ端子ＣＤ＋に出力する機能を有する。
【００３４】
スキャナ部１８は、レーザスキャナ、イメージャなどを備え、商品などに付された１次元バーコード、２次元コードなどを読み取り、読み取ったデータをＣＰＵ１１に出力する。
【００３５】
ＨＴとしての情報端末１０は、他に、２次電池などの電源部を備え、また、撮像部、通話部（マイク、スピーカなど）、位置検出部、加速度センサ、ＲＦＩＤ（Radio Frequency IDentifier）などの近距離無線通信部などを備える構成としてもよい。
【００３６】
次に、図３及び図４を参照して、通信中継システム１の動作を説明する。図３は、クレードル側ＵＳＢ接続処理を示すフローチャートである。図４は、端末側ＵＳＢ接続処理を示すフローチャートである。
【００３７】
クレードル側ＵＳＢ接続処理は、端子ＣＢの状態に応じて、情報端末１０から入力された信号を接続確認用に情報端末１０に出力し、又は情報端末１０の通信接続のためにＵＳＢ端子ＣＭＨＴとＵＳＢ端子ＣＰＣとを電気的に接続する処理である。
【００３８】
図３を参照して、クレードル２０の回路部２１により実行されるクレードル側ＵＳＢ接続処理を説明する。例えば、商用電源から給電されたＡＣ（Alternating Current）アダプタ（図示略）がクレードル２０に接続され電源オンされたこと、又はＰＣ３０からＵＳＢケーブル３１を介してクレードル２０にＵＳＢで給電されたことをトリガとして、給電された回路部２１は、クレードル側ＵＳＢ接続処理を実行する。
【００３９】
先ず、回路部２１は、プラス信号を生成して端子ＣＡに出力する（ステップＳ１）。ステップＳ１のプラス信号は、情報端末１０からみて、情報端末１０がクレードル２０にセットされたことを示す信号となる。
【００４０】
そして、回路部２１は、端子ＣＢの状態を読み、端子ＣＢの信号極性がマイナスであるか否かを判別する（ステップＳ２）。情報端末１０から端子ＣＢに入力される信号は、モードＡ（情報端末１０とクレードル２０との接続確認中）であるか否かを示す信号である。ここで、端末側ＵＳＢ接続処理におけるモードは、モードＡ，Ｂ，Ｃが用意されている。モードＡは、情報端末１０とクレードル２０との接続確認を行うモードである。モードＢは、情報端末１０のＵＳＢ端子ＴＨＴをＵＳＢ通信モジュール（クレードル２０）に通信接続し、情報端末１０と通信先のＰＣ３０との間の通信を行うモードである。モードＣは、情報端末１０のＵＳＢ端子ＴＨＴをどこにも接続しないモードである。
【００４１】
ステップＳ２において、情報端末１０から端子ＣＢに入力される信号がマイナス信号である場合、又は情報端末１０から端子ＣＢに信号が入力されていない（端子ＣＢに端子ＴＢが電気的に接続されていない）場合に、端子ＣＢの信号極性がマイナスの状態になる。情報端末１０から端子ＣＢに入力される信号がプラス信号である場合に、端子ＣＢの信号極性がプラスの状態になる。
【００４２】
端子ＣＢの信号極性がマイナスである場合（ステップＳ２；ＹＥＳ）、回路部２１は、ＵＳＢ端子ＣＤ＋に入力されている情報端末１０からのループバック用の信号を、ＵＳＢ端子ＣＨＴのうち、ＵＳＢ端子ＣＤ＋以外の全てのＵＳＢ端子ＣＤ−，ＣＩＤ，ＣＶＢＵＳ，ＣＧＮＤに出力し（ステップＳ３）、ステップＳ２に移行する。
【００４３】
端子ＣＢの信号極性がプラスである場合（ステップＳ２；ＮＯ）、回路部２１は、ＵＳＢ端子ＣＨＴのＵＳＢ端子ＣＤ＋，ＣＤ−，ＣＩＤ，ＣＶＢＵＳ，ＣＧＮＤを、それぞれＵＳＢ端子ＣＰＣのＤ＋，Ｄ−，ＩＤ，ＶＢＵＳ，ＧＮＤのＵＳＢ端子に電気的に接続し（ステップＳ４）、ステップＳ２に移行する。
【００４４】
次いで、図４を参照して、情報端末１０のＣＰＵ１１により実行される端末側ＵＳＢ接続処理を説明する。端末側ＵＳＢ接続処理は、クレードル２０を介して情報端末１０とＰＣ３０とを通信接続するにあたり、クレードル２０と情報端末１０とのＵＳＢ端子の接続状態を確認し、全てのＵＳＢ端子が電気的に接続されている場合に、情報端末１０とＰＣ３０とを通信接続してＵＳＢ通信を行う処理である。
【００４５】
情報端末１０において、例えば、電源がオンされたことをトリガとして、ＣＰＵ１１は、記憶部１５から読み出して適宜ＲＡＭ１３に展開した端末側ＵＳＢ接続プログラム１５１との協働で、端末側ＵＳＢ接続処理を実行する。ユーザは、適宜情報端末１０をクレードル２０にセットする。
【００４６】
先ず、ＣＰＵ１１は、初期設定として、端末側ＵＳＢ接続処理におけるモードをモードＡに設定し、有線通信部１７によりクレードル２０へのループバック用のマイナス信号を生成してＵＳＢ端子ＴＤ＋に出力し、有線通信部１７によりマイナス信号を生成して端子ＴＢに出力する（ステップＳ１１）。ステップＳ１１のＵＳＢ端子ＴＤ＋へのマイナス信号出力に対応して、ＵＳＢ端子ＴＤ＋に接触するＵＳＢ端子ＣＤ＋にマイナス信号が入力される。また、ステップＳ１１の端子ＴＢへのマイナス信号出力に対応して、端子ＴＢに接触する端子ＣＢにマイナス信号が入力され、図３のステップＳ２でＹＥＳとなりステップＳ３に移行される。
【００４７】
そして、ＣＰＵ１１は、端子ＴＡの状態を読み、端子ＴＡの信号極性がプラスであるか否かを判別する（ステップＳ１２）。図３のステップＳ１に対応してクレードル２０から端子ＴＡに入力される信号がプラス信号である場合に、端子ＴＡの信号極性がプラスの状態になる。クレードル２０から端子ＴＡに信号が入力されていない、又は端子ＴＡに端子ＣＡが電気的に接続されていない場合に、端子ＴＡの信号極性がマイナスの状態になる。
【００４８】
端子ＴＡの信号極性がマイナスである場合（ステップＳ１２；ＮＯ）、ステップＳ１２に移行される。端子ＴＡの信号極性がプラスである場合（ステップＳ１２；ＹＥＳ）、ＣＰＵ１１は、１００［ｍｓ］待機する（ステップＳ１３）。以下、ステップＳ１３のような待機の処理は、信号出力先の端子が不安定な状態となることを防ぐために行う。また、待機時間は、１００［ｍｓ］に限定されるものではない。
【００４９】
そして、ＣＰＵ１１は、ＵＳＢ端子ＴＨＴのうち、ＵＳＢ端子ＴＤ＋以外の全てのＵＳＢ端子ＴＤ−，ＴＩＤ，ＴＶＢＵＳ，ＴＧＮＤの状態を読み、ＵＳＢ端子ＴＤ−，ＴＩＤ，ＴＶＢＵＳ，ＴＧＮＤの全ての信号極性がマイナスであるか否かを判別する（ステップＳ１４）。ステップＳ１１でＵＳＢ端子ＴＤ＋にマイナス信号が出力されているため、ＵＳＢ端子ＴＤ−，ＴＩＤ，ＴＶＢＵＳ，ＴＧＮＤとＵＳＢ端子ＣＤ−，ＣＩＤ，ＣＶＢＵＳ，ＣＧＮＤとがそれぞれ電気的に接続されている場合に、図３のステップＳ３に対応して、マイナス信号がＵＳＢ端子ＴＤ−，ＴＩＤ，ＴＶＢＵＳ，ＴＧＮＤに入力されて、信号極性がマイナスの状態となる。
【００５０】
ＵＳＢ端子ＴＤ−，ＴＩＤ，ＴＶＢＵＳ，ＴＧＮＤの少なくとも１つの信号極性がプラスである場合（ステップＳ１４；ＮＯ）、ＣＰＵ１１は、ステップＳ１５の最初の実行から比較時間として１［ｓ］経過したか否かを判別する（ステップＳ１５）。ステップＳ１５などの比較時間は、１［ｓ］に限定されるものではない。１［ｓ］経過していない場合（ステップＳ１５；ＮＯ）、ステップＳ１４に移行される。
【００５１】
１［ｓ］経過した場合（ステップＳ１５；ＹＥＳ）、ＣＰＵ１１は、情報端末１０とクレードル２０との全てのＵＳＢ端子が接触していない旨の警告情報を生成して表示部１４に表示する（ステップＳ１６）。ユーザは、例えば、表示された警告情報を目視し、必要に応じてＵＳＢ端子ＴＨＴ，ＣＨＴの汚れを拭き、情報端末１０をクレードル２０にセットし直し、操作部１２を介して、再セットした旨の応答情報を入力する。
【００５２】
そして、ＣＰＵ１１は、操作部１２を介して、ユーザから再セットした旨の応答情報の入力があるか否かを判別する（ステップＳ１７）。応答情報の入力がない場合（ステップＳ１７；ＮＯ）、ステップＳ１７に移行される。応答情報の入力がある場合（ステップＳ１７；ＹＥＳ）、ステップＳ１１に移行される。
【００５３】
ＵＳＢ端子ＴＤ−，ＴＩＤ，ＴＶＢＵＳ，ＴＧＮＤの全ての信号極性がマイナスである場合（ステップＳ１４；ＹＥＳ）、ＣＰＵ１１は、有線通信部１７によりプラス信号を生成してＵＳＢ端子ＴＤ＋に出力する（ステップＳ１８）。ステップＳ１８のＵＳＢ端子ＴＤ＋へのプラス信号出力に対応して、ＵＳＢ端子ＴＤ＋に接触するＵＳＢ端子ＣＤ＋にプラス信号が入力される。そして、ＣＰＵ１１は、１００［ｍｓ］待機する（ステップＳ１９）。
【００５４】
そして、ＣＰＵ１１は、ＵＳＢ端子ＴＨＴのうち、ＵＳＢ端子ＴＤ＋以外の全てのＵＳＢ端子ＴＤ−，ＴＩＤ，ＴＶＢＵＳ，ＴＧＮＤの状態を読み、ＵＳＢ端子ＴＤ−，ＴＩＤ，ＴＶＢＵＳ，ＴＧＮＤの全ての信号極性がプラスであるか否かを判別する（ステップＳ２０）。ステップＳ１８でＵＳＢ端子ＴＤ＋にプラス信号が出力されているため、ＵＳＢ端子ＴＤ−，ＴＩＤ，ＴＶＢＵＳ，ＴＧＮＤとＵＳＢ端子ＣＤ−，ＣＩＤ，ＣＶＢＵＳ，ＣＧＮＤとがそれぞれ電気的に接続されている場合に、図３のステップＳ３に対応して、プラス信号がＵＳＢ端子ＴＤ−，ＴＩＤ，ＴＶＢＵＳ，ＴＧＮＤに入力されて、信号極性がプラスの状態となる。
【００５５】
ＵＳＢ端子ＴＤ−，ＴＩＤ，ＴＶＢＵＳ，ＴＧＮＤの少なくとも１つの信号極性がマイナスの状態である場合（ステップＳ２０；ＮＯ）、ＣＰＵ１１は、ステップＳ２０の最初の実行から比較時間として１［ｓ］経過したか否かを判別する（ステップＳ２１）。１［ｓ］経過していない場合（ステップＳ２１；ＮＯ）、ステップＳ２０に移行される。
【００５６】
ＵＳＢ端子ＴＤ−，ＴＩＤ，ＴＶＢＵＳ，ＴＧＮＤの全ての信号極性がプラスである場合（ステップＳ２０；ＹＥＳ）、ＣＰＵ１１は、有線通信部１７によりマイナス信号を生成してＵＳＢ端子ＴＤ＋に出力する（ステップＳ２２）。ステップＳ２３〜Ｓ２５は、ステップＳＳ１３〜Ｓ１５と同様である。
【００５７】
ＵＳＢ端子ＴＤ−，ＴＩＤ，ＴＶＢＵＳ，ＴＧＮＤの全ての信号極性がマイナスである場合（ステップＳ２４；ＹＥＳ）、ＣＰＵ１１は、端末側ＵＳＢ接続処理におけるモードをモードＣに設定する（ステップＳ２６）。そして、ＣＰＵ１１は、１００［ｍｓ］待機する（ステップＳ２７）。そして、ＣＰＵ１１は、有線通信部１７によりプラス信号を生成して端子ＴＢに出力する（ステップＳ２８）。ステップＳ２８の端子ＴＢへのプラス信号出力に対応して、端子ＴＢに接触する端子ＣＢにプラス信号が入力され、図３のステップＳ２でＮＯとなりステップＳ４に移行される。
【００５８】
そして、ＣＰＵ１１は、１００［ｍｓ］待機する（ステップＳ２９）。そして、ＣＰＵ１１は、端末側ＵＳＢ接続処理におけるモードをモードＢに設定する（ステップＳ３０）。そして、ＣＰＵ１１は、有線通信部１７によりＵＳＢ端子ＴＨＴを介して通信先であるＰＣ３０とのＵＳＢ通信を開始し（ステップＳ３１）、端末側ＵＳＢ接続処理を終了する。
【００５９】
以上、本実施の形態によれば、情報端末１０は、クレードル２０におけるＵＳＢ端子ＣＨＴとの間でＵＳＢ通信方式で通信するためにＵＳＢ端子ＣＨＴに接触されるＵＳＢ端子ＴＨＴを備える。情報端末１０は、ＵＳＢ端子ＴＨＴのうちの１つのＵＳＢ端子ＴＤ＋にクレードル２０へのループバック用の第１の信号（マイナス信号／プラス信号）を出力し、当該第１の信号がクレードル２０からＵＳＢ端子ＴＨＴのうちのＵＳＢ端子ＴＤ＋以外の全てのＵＳＢ端子（ＴＤ−，ＴＩＤ，ＴＶＢＵＳ，ＴＧＮＤ）に入力されたか否かを判別する。
【００６０】
クレードル２０は、情報端末１０のＵＳＢ端子ＴＨＴと接触されるＵＳＢ端子ＣＨＴを備える。クレードル２０は、ＵＳＢ端子ＣＨＴのうちの１つのＵＳＢ端子ＣＤ＋に情報端末１０から入力された第１の信号をＵＳＢ端子ＣＨＴのうちのＵＳＢ端子ＣＤ＋以外の全てのＵＳＢ端子（ＣＤ−，ＣＩＤ，ＣＶＢＵＳ，ＣＧＮＤ）に出力する。
【００６１】
このため、情報端末とクレードル２０との接続において、ＵＳＢの通信に用いるＵＳＢ端子ＴＨＴ，ＣＨＴ全てが接続されたことを確認できる。よって、情報端末が斜めにクレードル２０に入るなど中途半端にセットされ、ＵＳＢ端子ＴＨＴ，ＣＨＴの一部が接触しないような状態を認識でき、ＵＳＢ接続及び通信を行わないようにすることができる。これにより、一部のＵＳＢ端子の接触不良による通信エラーを防ぐことができる。
【００６２】
また、情報端末１０は、第１の信号がＵＳＢ端子ＴＤ＋以外の全てのＵＳＢ端子に入力された場合に、ＵＳＢ端子ＴＨＴ及びクレードル２０を介したＰＣ３０とのＵＳＢの通信を開始する。このため、情報端末とクレードル２０とが確実にＵＳＢ接続された場合に、情報端末１０とＰＣ３０とのＵＳＢ通信を開始でき、一部のＵＳＢ端子の接触不良による通信エラーを防ぐことができる。
【００６３】
また、情報端末１０は、第１の信号がＵＳＢ端子ＴＤ＋以外の少なくとも１つのＵＳＢ端子ＴＨＴから入力されない場合に、警告情報を表示部１４に出力する。このため、ＵＳＢ端子ＴＨＴ，ＣＨＴの接触が不完全なことを確認したときに、警告情報を表示することにより、ユーザに対してクレードル２０への情報端末１０のセットしなおしを促すことができる。
【００６４】
また、情報端末１０は、クレードル２０の端子ＣＡに接触される端子ＴＡを備える。情報端末１０は、情報端末１０がクレードル２０にセットされていることを示す第２の信号（プラス信号）がクレードル２０から端子ＴＡに入力されたか否かを判別し、第２の信号が端子ＴＡに入力された場合に、ＵＳＢ端子ＴＨＴのうちの１つのＵＳＢ端子ＴＤ＋に第１の信号を出力する。クレードル２０は、情報端末１０の端子ＴＡに接触される端子ＣＡを備える。クレードル２０は、第２の信号を端子ＣＡに出力する。このため、情報端末１０がクレードル２０にセットされている場合に、情報端末１０とクレードル２０とのＵＳＢの接続確認を行うことができ、セットされていないときの無駄な接続確認を防ぐことができる。
【００６５】
また、情報端末１０は、クレードル２０の端子ＣＢに接触される端子ＴＢを備える。情報端末１０は、クレードル２０との接続の確認中を示す第３の信号（マイナス信号）を端子ＴＢに出力して、ＵＳＢ端子ＴＨＴのうちの１つのＵＳＢ端子ＴＤ＋に第１の信号を出力する。情報端末１０は、クレードル２０との接続の確認完了を示す第３の信号（プラス信号）を端子ＴＢに出力して、ＰＣ３０とのＵＳＢの通信を開始する。クレードル２０は、情報端末１０の端子ＴＢに接触される端子ＣＢを備える。クレードル２０は、情報端末１０がクレードル２０との接続の確認中を示す第３の信号（マイナス信号）が端子ＣＢに入力された場合に、ＵＳＢ端子ＣＨＴのうちの１つのＵＳＢ端子ＣＤ＋に情報端末１０から入力された第１の信号をＵＳＢ端子ＣＨＴのうちのＵＳＢ端子ＣＤ＋以外の全てのＵＳＢ端子に出力する。クレードル２０は、情報端末１０との接続の確認完了を示す第３の信号（プラス信号）が端子ＣＢに入力された場合に、ＵＳＢ端子ＣＨＴとＰＣ３０（に接続されたＵＳＢ端子ＣＰＣ）とを接続する。このため、情報端末１０とクレードル２０との接続確認が完了した場合に、情報端末１０とＰＣ３０とのＵＳＢの接続及び通信を確実に行うことができる。
【００６６】
また、情報端末１０は、ＵＳＢ端子ＴＨＴのうちの１つのＵＳＢ端子ＴＤ＋に信号の極性をマイナスとすること及び信号の極性をプラスとすることを２回交互に切替えて第１の信号を出力し、切り替えられた３つの第１の信号がいずれもクレードル２０からＵＳＢ端子ＴＨＴのうちのＵＳＢ端子ＴＤ＋以外の全てのＵＳＢ端子に入力されたか否かを判別する。このため、情報端末１０とクレードル２０とのＵＳＢ端子ＴＨＴ，ＣＨＴのＵＳＢの接続をより確実に確認できる。
【００６７】
以上の説明では、本発明に係るプログラムのコンピュータ読み取り可能な媒体として記憶部１５のフラッシュメモリ、ＥＥＰＲＯＭを使用した例を開示したが、この例に限定されない。その他のコンピュータ読み取り可能な媒体として、フラッシュメモリや、ＣＤ−ＲＯＭ等の可搬型記録媒体を適用することが可能である。また、本発明に係るプログラムのデータを通信回線を介して提供する媒体として、キャリアウエーブ（搬送波）も本発明に適用される。
【００６８】
なお、上記実施の形態における記述は、本発明に係る情報端末、通信中継システム、中継装置及びプログラムの一例であり、これに限定されるものではない。
【００６９】
例えば、上記実施の形態では、情報端末１０において、接続確認用の任意の信号（マイナス信号／プラス信号）をＵＳＢ端子ＴＤ＋に出力する構成としたが、これに限定されるものではない。情報端末１０において、接続確認用の任意の信号をＵＳＢ端子ＴＩＤ、ＴＤ−、ＴＶＢＵＳ又はＴＧＮＤに出力する構成としてもよい。
【００７０】
また、上記実施の形態では、情報端末１０において、接続確認用の任意の信号（第１の信号）の信号の極性をマイナスとすること及び信号の極性をプラスとすることを交互に２回切り替えることとし、第１の信号をＵＳＢ端子ＴＤ＋に出力する処理と、当該出力した信号がＵＳＢ端子ＴＨＴのうちのＵＳＢ端子ＴＤ＋以外の全てのＵＳＢ端子（ＴＤ−，ＴＩＤ，ＴＶＢＵＳ，ＴＧＮＤ）に入力されたか否かを判別する処理と、を３回繰り返す構成としたが、これに限定されるものではない。ＵＳＢ端子ＴＤ＋に出力する第１の信号をプラス信号として切り替えず、上記第１の信号出力処理及びその入力信号の判別処理を１回のみ行う構成としてもよい。また、ＵＳＢ端子ＴＤ＋に出力する第１の信号の信号極性の切替え回数は、１回又は３回以上としてもよい。第１の信号の信号極性の切替え回数が多いほど、情報端末１０とクレードル２０とのＵＳＢの接続をより正確に判別できる。逆に第１の信号の信号極性の切替え回数が少ないほど、情報端末１０及びクレードル２０の処理負担及び処理時間を低減できる。
【００７１】
また、上記実施の形態では、ＵＳＢ端子ＴＨＴ、端子ＴＡ，ＴＢ（ＵＳＢ端子ＣＨＴ、端子ＣＡ，ＣＢも同様）について、ＵＳＢ端子ＴＨＴの各ＵＳＢ端子の配列方向に沿った外側の近傍の位置に端子ＴＡ，ＴＢを配置する構成としたが、これに限定されるものではない。例えば、ＵＳＢ端子ＴＨＴ、端子ＴＡ，ＴＢ（ＵＳＢ端子ＣＨＴ、端子ＣＡ，ＣＢも同様）について、ＵＳＢ端子ＴＨＴの各ＵＳＢ端子の配列方向に沿った外側の近傍でない位置（例えば、情報端末１０の筐体の端部）に端子ＴＡ，ＴＢを配置する構成としてもよい。また、ＵＳＢ端子ＴＨＴの各ＵＳＢ端子の配列方向と異なる方向（例えば、配列方向に対して０〜９０度の方向）に沿った外側の位置に端子ＴＡ，ＴＢを配置する構成としてもよい。
【００７２】
また、上記実施の形態では、ＵＳＢ端子ＴＨＴ，ＣＨＴにおいて、１種類（Ｄ＋など）のＵＳＢ端子が１つ（金属端子の１か所が筐体から露出）配置されている構成としたが、これに限定されるものではない。ＵＳＢ端子ＴＨＴ，ＣＨＴにおいて、１種類のＵＳＢ端子が複数（金属端子の複数箇所が筐体から露出）配置されている構成としてもよい。
【００７３】
また、上記実施の形態では、ＵＳＢ端子ＴＨＴ，ＣＨＴが接続されていない旨の警告情報を出力手段としての表示部１４に表示する構成としたが、これに限定されるものではない。例えば、出力手段をＬＥＤ（Light Emitting Diode）、スピーカなどとし、警告情報をＬＥＤの点灯や、音声出力により行う構成としてもよい。
【００７４】
また、上記実施の形態では、クレードル２０とＰＣ３０との間を、情報端末１０とクレードル２０との間の有線通信方式であるＵＳＢ通信方式により接続している構成としたが、これに限定されるものではない。例えば、クレードル２０とＰＣ３０との間を、情報端末１０とクレードル２０との間との通信方式とは異なる有線通信方式や、無線通信方式により接続している構成としてもよい。
【００７５】
また、上記実施の形態における通信中継システム１の各構成要素の細部構成及び細部動作に関しては、本発明の趣旨を逸脱することのない範囲で適宜変更可能であることは勿論である。
【００７６】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
外部装置と接続するための中継装置における第１の複数の通信端子との間で所定の有線通信方式で通信するために前記第１の複数の通信端子に接触される第２の複数の通信端子と、
前記第２の複数の通信端子のうちの１つの信号出力端子に前記中継装置へのループバック用の第１の信号を出力する信号出力手段と、
前記第１の信号が前記中継装置から前記第２の複数の通信端子のうちの前記信号出力端子以外の全ての第２の通信端子に入力されたか否かを判別する確認手段と、
を備える情報端末。
＜請求項２＞
前記第１の信号が前記信号出力端子以外の全ての第２の通信端子に入力された場合に、前記第２の複数の通信端子及び前記中継装置を介した前記外部装置との通信を開始する接続手段を備える請求項１に記載の情報端末。
＜請求項３＞
前記第１の信号が前記信号出力端子以外の少なくとも１つの第２の通信端子から入力されない場合に、警告情報を出力手段に出力する警告手段を備える請求項１又は２に記載の情報端末。
＜請求項４＞
前記中継装置における通信端子に接触される第３の通信端子を備え、
前記信号出力手段は、前記情報端末が前記中継装置にセットされていることを示す第２の信号が前記中継装置から前記第２の通信端子に入力されたか否かを判別し、前記第２の信号が前記第３の通信端子に入力された場合に、前記第２の複数の通信端子のうちの１つの信号出力端子に第１の信号を出力する請求項１から３のいずれか一項に記載の情報端末。
＜請求項５＞
前記中継装置における通信端子に接触される第４の通信端子を備え、
前記信号出力手段は、前記中継装置との接続確認中を示す第３の信号を前記第４の通信端子に出力して、前記第２の複数の通信端子のうちの１つの信号出力端子に第１の信号を出力し、
前記接続手段は、前記中継装置との接続の確認完了を示す第３の信号を前記第４の通信端子に出力して、前記外部装置との通信を開始する請求項２に記載の情報端末。
＜請求項６＞
前記信号出力手段は、前記第２の複数の通信端子のうちの１つの信号出力端子に信号の極性をマイナスとすること及び信号の極性をプラスとすることを少なくとも１回切替えて第１の信号を出力し、
前記確認手段は、前記切替えられた複数の第１の信号がいずれも前記中継装置から前記第２の複数の通信端子のうちの前記信号出力端子以外の全ての第２の通信端子に入力されたか否かを判別する請求項１から５のいずれか一項に記載の情報端末。
＜請求項７＞
請求項１から６のいずれか一項に記載の情報端末と、
前記外部装置と前記情報端末との通信を中継する前記中継装置と、を備え、
前記中継装置は、
前記第２の複数の通信端子と接触される前記有線通信方式の前記第１の複数の通信端子と、
前記第１の複数の通信端子のうちの１つの信号入力端子に前記情報端末から入力された第１の信号を前記第１の複数の通信端子のうちの当該信号入力端子以外の全ての第１の通信端子に出力する応答手段と、
を備える通信中継システム。
＜請求項８＞
情報端末がセットされることにより、外部装置と当該情報端末との通信を中継する中継装置であって、
前記情報端末における第２の複数の通信端子と接触される所定の有線通信方式の第１の複数の通信端子と、
前記第１の複数の通信端子のうちの１つの信号入力端子に前記情報端末から入力された第１の信号を前記第１の複数の通信端子のうちの当該信号入力端子以外の全ての第１の通信端子に出力する応答手段と、
備える中継装置。
＜請求項９＞
前記情報端末における通信端子に接触される第５の通信端子を備え、
前記応答手段は、前記情報端末が前記中継装置にセットされていることを示す第２の信号を前記第５の通信端子に出力する請求項８に記載の中継装置。
＜請求項１０＞
前記情報端末における通信端子に接触される第６の通信端子を備え、
前記応答手段は、前記情報端末が前記中継装置との接続の確認中を示す第３の信号が前記第６の通信端子に入力された場合に、前記第１の複数の通信端子のうちの１つの信号入力端子に前記情報端末から入力された第１の信号を前記第１の複数の通信端子のうちの当該信号入力端子以外の全ての第１の通信端子に出力し、前記中継装置との接続の確認完了を示す第３の信号が前記第６の通信端子に入力された場合に、前記第１の複数の通信端子と前記外部装置とを接続する請求項８又は９に記載の中継装置。
＜請求項１１＞
コンピュータを、
外部装置と接続するための中継装置における第１の複数の通信端子との間で所定の有線通信方式で通信するために前記第１の複数の通信端子に接触される第２の複数の通信端子のうちの１つの信号出力端子に前記中継装置へのループバック用の第１の信号を出力する信号出力手段、
前記第１の信号が前記中継装置から前記第２の複数の通信端子のうちの前記信号出力端子以外の全ての第２の通信端子に入力されたか否かを判別する確認手段、
として機能させるためのプログラム。
【符号の説明】
【００７７】
１  通信中継システム
１０  情報端末
１１  ＣＰＵ
１２  操作部
１３  ＲＡＭ
１４  表示部
１５  記憶部
１６  無線通信部
１７  有線通信部
１８  スキャナ部
１９  バス
２０  クレードル
２１  回路部
２２  セット部
ＴＨＴ，ＴＤ＋，ＴＤ−，ＴＩＤ，ＴＶＢＵＳ，ＴＧＮＤ，ＣＨＴ，ＣＤ＋，ＣＤ−，ＣＩＤ，ＣＶＢＵＳ，ＣＧＮＤ，ＣＰＣ  ＵＳＢ端子
ＴＡ，ＴＢ，ＣＡ，ＣＢ  端子
３０  ＰＣ
３１  ＵＳＢケーブル
【図１】
2018147634.tif 000003
【図２】
2018147634.tif 000004
【図３】
2018147634.tif 000005
【図４】
2018147634.tif 000006